(57)【要約】【課題】室内における住環境を良くすることができるとともに、構造が簡単で製造も容易な壁紙を提供すること。【解決手段】布、紙、ビニール等のシート状素材よりなる壁紙本体２と、壁紙本体２の少なくとも一方の面に形成したコーティング層３とを具備した壁紙であって、コーティング層３は、珪藻土とチタンアパタイトを混ぜ合わせて製造したコーティング材を壁紙本体２に塗布することで形成したことを特徴としており、室内等の壁、天井等の下地に貼着することで、珪藻土の分解消臭効果、抗酸化作用等によって、室内の除湿、消臭等を行うことが可能であるとともに、チタンアパタイトの作用によって、壁紙に付着した汚れを分解して壁が汚れることを防止して、長期間の使用によっても、壁紙の装飾効果が落ちることを防止して室内環境を良い状態で維持することができる。【選択図】図２
0003186142.tif 000002
【実用新案登録請求の範囲】
【請求項１】
布、紙、ビニール等のシート状素材よりなる壁紙本体（２）と、
該壁紙本体（２）の少なくとも一方の面に形成したコーティング層（３）と、を具備した壁紙であって、
前記コーティング層（３）は、珪藻土と光触媒を混ぜ合わせて製造したコーティング材を前記壁紙本体（２）に塗布することで形成した、ことを特徴とする壁紙。
【請求項２】
前記コーティング材は、珪藻土とチタンアパタイトを混ぜ合わせて製造したコーティング材であることを特徴とする請求項１に記載の壁紙。
【考案の詳細な説明】
【技術分野】
【０００１】
本考案は、壁や天井に貼着されて下地の保護や室内の装飾を行うために用いられる壁紙に係り、より詳しくは、壁紙本体の少なくとも一方の面に、珪藻土とチタンアパタイトを混ぜ合わせて製造したコーティング材を塗布することでコーティング層を形成してなることを特徴とする壁紙に関する。
【背景技術】
【０００２】
周知のように、住宅等における壁や天井の内装は、下地ボード等の下地に塩ビ、オレフィン紙等よりなる壁紙を貼着することにより行われ、これにより、下地の保護を行うとともに、壁紙の色や模様により室内の装飾が行われる。
【０００３】
ところで、前述のように、壁紙は、その色や模様を好みの模様に選択することにより、室内の装飾を行い、それにより室内における住環境を良くすることが行われるが、室内における住環境を良くするためには、壁紙の模様を好みのものに選択するのみでは不十分である。
【０００４】
即ち、壁紙の模様により、視覚に訴える住環境の向上は可能だが、室内における住環境を良くするためには、室内における湿度の調節、消臭、殺菌等が必要である。
【０００５】
そのため従来は、室内の住環境を良くするために、除湿材、消臭剤、芳香剤あるいは空気清浄機等を室内に配置するとともに、更には観葉植物等を置くことが行われていた。
【０００６】
しかしながら、このように、室内に除湿材、消臭剤、芳香剤あるいは空気清浄機等を置いた場合にはその交換やメンテナンスが面倒であり、更に観葉植物等を置いた場合には世話が大変であるばかりか、逆に室内が汚れてしまうという問題点も考えられる。
【０００７】
この点従来から、珪藻土、ゼオライト等の調湿建材を用いた下地材が提供されており、この調湿建材を用いて壁等の下地を形成することで、室内の除湿等を行っていた。
【０００８】
しかし、このような調湿建材を用いて壁等の下地を形成する場合には、新築家屋の場合は別だが、それ以外の場合には、壁を施工しなおす必要があるために、施工が大掛かりになってしまうという問題点が考えられる。
【０００９】
また、従来から、珪藻土等の調湿材を備えた壁紙も提案されてはいるが、調湿材を備えた従来の壁紙では、構造が複雑であり、簡易な構造で製造も容易で低いコストで製造可能なものでは無かった。
【先行技術文献】
【特許文献】
【００１０】
【特許文献１】特開２００９−０５２３７６号公報
【特許文献２】特開２００８−０３８３０７号公報
【特許文献３】特開２００６−３４８４３０号公報
【特許文献４】特開２００３−２３９１９９号公報
【特許文献５】特開２００３−００３３８２号公報
【特許文献６】特開２００３−００３３８１号公報
【特許文献７】特開２００２−１５４１７８号公報
【考案の概要】
【考案が解決しようとする課題】
【００１１】
そこで、本考案は、室内における住環境を良くすることができるとともに、構造が簡単で製造も容易な壁紙を提供することを課題としている。
【課題を解決するための手段】
【００１２】
本考案の壁紙は、
布、紙、ビニール等のシート状素材よりなる壁紙本体と、
該壁紙本体の少なくとも一方の面に形成したコーティング層と、を具備した壁紙であって、
前記コーティング層は、珪藻土と光触媒を混ぜ合わせて製造したコーティング材を前記壁紙本体に塗布することで形成したことを特徴としている。
【考案の効果】
【００１３】
本考案の壁紙では、布、紙、ビニール等のシート状素材よりなる壁紙本体の少なくとも一方の面にコーティング層を形成して構成され、コーティング層は、珪藻土と光触媒を混ぜ合わせて製造したコーティング材を前記壁紙本体の表面に塗布することで形成している。
【００１４】
そのために、コーティング層が室内側になる配置で、本考案の壁紙を壁、天井の下地に貼着することで、コーティング層を形成している珪藻土と光触媒の双方の効果を発揮することができる。即ち、珪藻土の分解消臭効果、抗酸化作用等によって室内の除湿、消臭等を行うことが可能であるとともに、光触媒の作用によって壁紙に付着した汚れを分解することができるので、壁紙の装飾効果が落ちることも無く、室内環境を良くすることが可能である。
【図面の簡単な説明】
【００１５】
【図１】本考案の壁紙の実施例の正面図である。
【図２】図１におけるＡ−Ａ線断面構造を示した図である。
【考案を実施するための形態】
【００１６】
本考案の壁紙では、布、紙、ビニール等のシート状素材よりなる壁紙本体を有しており、この壁紙本体の少なくとも一方の面には、コーティング層が形成されている。
【００１７】
そして、壁紙本体の少なくとも一方の面に形成されているコーティング層は、珪藻土と光触媒を混ぜ合わせて製造したコーティング材を、壁紙本体の面に塗布することで形成している。
【００１８】
ここで、コーティング材は、珪藻土とチタンアパタイトを混ぜ合わせて製造するとよく、これにより、チタンアパタイトが有する優れた吸着力によって、壁紙に付着した汚れ、菌等をほとんど分解することが可能となる。
【実施例１】
【００１９】
本考案の壁紙の実施例について図面を参照して説明すると、図１は、本実施例の壁紙の正面図であり、また図２は図１におけるＡ−Ａ線断面構造を示した断面図である。
【００２０】
そして、図において１が本実施例の壁紙であり、本実施例の壁紙１は、壁紙本体と、この壁紙本体の表裏面に形成されたコーティング層とを具備して構成されている。
【００２１】
即ち、図２において２が壁紙本体であり、本実施例において前記壁紙本体は、一般的な壁紙と同様に、布、紙、ビニール等の樹脂、により構成されており、細長いシート状としている。
【００２２】
そして、この壁紙本体２の表裏面には、コーティング層が形成されている。即ち、図において３がコーティング層である。即ち、本実施例の壁紙１では、前記壁紙本体２の表裏面にコーティング層３が形成されており、このコーティング層３の存在により、室内の吸湿、調湿、及び壁紙の防汚作用を発揮することを可能としている。
【００２３】
ここで、前記コーティング層３について説明すると、本実施例において前記コーティング層３は、珪藻土と光触媒を混ぜ合わせて製造したコーティング材を、壁紙本体２の表裏面に塗布することで形成しており、光触媒としては、アパタイト結晶中に酸化チタンを導入して製造されるチタンアパタイトを用いている。
【００２４】
従って、本考案の壁紙１では、壁紙本体２の表裏面に形成した前記コーティング層３を構成する珪藻土の作用により、室内の湿気を吸収して室内の調湿を行うことが可能であるとともに、更に、光触媒がコーティング層３に付着した汚れを分解するために、長期間の使用によっても汚れることが無い。
【００２５】
即ち、珪藻土は吸湿機能が大きいとともに自律的に呼吸するために半永久的に調湿機能を発揮することができるために、この珪藻土とチタンアパタイトを混ぜ合わせて製造したコーティング材を塗布して形成したコーティング層を備えた本実施例の壁紙では、珪藻土の作用により、コーティング層３が室内の余分な湿気を吸収して室内の湿度を自動的に調節することができる。
【００２６】
また、珪藻土には生活臭や有害物質を吸着、脱臭する働きがあり、化学物質や悪臭物質を分解することができるために、この珪藻土を含んだコーティング層を備えた本実施例の壁紙１では、室内に漂う化学物質や悪臭を分解、消臭するとともに、「分解消臭」であるために永久的に効果を持続することができる。
【００２７】
更に、珪藻土は抗酸化作用を有しており、周囲の湿気を「高い抗酸化作用を持つ湿気」に変えて老化や病気の元である活性酸素をほとんど無くし、更に化学物質や静電気などのプラスイオンを中和、除去し、その結果、人や犬、猫などのペット、植物の健康にとって欠かせない「自然界のマイナスイオン優位の空気」を作り出し、このマイナスイオン優位の空気は、免疫力の向上、生体機能の正常化、リラックス効果などをもたらすために、本実施例の壁紙を壁の下地に貼着した場合には、室内を自然界のマイナスイオン優位の空気の雰囲気にすることができる。
【００２８】
一方、周知のようにチタンアパタイトは、富士通研究所と東京大学先端科学技術研究センターの共同研究で開発されたもので、アパタイト結晶中に酸化チタンを導入して製造され、有機物を確実に吸着するアパタイトの機能と、吸着した有機物を水と二酸化炭素にまで完全に酸化分解する酸化チタンの効果を併せ持つために、このチタンアパタイトを珪藻土と混ぜ合わせて製造したコーティング材を塗布して形成したコーティング層を備えた本実施例の壁紙では、コーティング層３に付着した汚れや菌等をほとんど分解することができるために、長期間の使用によっても汚れることが無く、室内を清潔な状態で維持することが可能である。
【００２９】
従って、本実施例の壁紙１では、これを室内の下地材に貼着した場合には、壁紙本体の表裏面に形成したコーティング層が前述のような珪藻土と光触媒の双方の効果を発揮することができるので、室内における住環境を良くすることができるとともに、構造が簡単であり製造も容易なため、製造コストを抑えることも可能である。
【００３０】
このように、本実施例の壁紙１では、珪藻土とチタンアパタイトを混ぜ合わせて製造したコーティング材を壁紙本体２の表裏面に塗布することでコーティング層を形成しているために、室内の壁、天井に貼着することで、室内の除湿、消臭等を行うことが可能であるとともに、壁紙が汚れることを防止し、室内環境を良くすることが可能である。
【００３１】
なお、前述の説明では、壁紙本体２の表裏面にコーティング層３を形成した構成を説明したが、コーティング層３は必ずしも壁紙本体２の表裏面に形成する必要は無く、壁紙本体２の一方の面のみに形成しても良く、この場合は、コーティング層が室内側になるような配置で壁紙を下地に貼着する必要がある。
【００３２】
また、前記コーティング層３の形成方法は特に限定されず、スクリーン印刷やコーター印刷によって壁紙本体２にコーティング材を塗布して、これによりカバ下身本体２にコーティング層３を形成するとよい。
【００３３】
更に、本考案の壁紙において壁紙本体２の材質は特に限定されず、布、ビニール等の樹脂、あるいは紙等、いずれでも良く、また、適宜、下地に貼着する側に接着層を形成してもよい。
【産業上の利用可能性】
【００３４】
本考案の壁紙では、珪藻土と光触媒を混ぜ合わせて製造したコーティング材によってコーティング層を形成しており、これにより、壁や天井の下地に貼着することで、室内における住環境を良くすることができるために、下地に貼着するクロスの全般に適用可能である。
【符号の説明】
【００３５】
１    壁紙
２    壁紙本体
３    コーティング層
【図１】
0003186142.tif 000003
【図２】
0003186142.tif 000004